(57)【要約】      （修正有）【課題】操作者が多大な力を使うことなく、塵埃の吸い取りおよび床面の磨き掃除を行うことができる電気掃除機を提供する。【解決手段】サイクロン集塵装置３と、電気駆動で回転する床磨き用のパッドとを備え、前記パッドによって床面を磨き掃除すると同時に前記サイクロン集塵装置３によって該床面の塵埃を集塵する。【選択図】図１
2008029474.tif 000002
【特許請求の範囲】
【請求項１】
サイクロン集塵装置と、電気駆動で回転する床磨き用のパッドとを備え、前記パッドによって床面を磨き掃除すると同時に前記サイクロン集塵装置によって該床面の塵埃を集塵することを特徴とする電気掃除機。
【請求項２】
前記パッドを２つ横に並べて備え、該２つのパッドが互いの間に前記塵埃を巻き込むように回転駆動されることを特徴とする請求項１に記載の電気掃除機。
【請求項３】
前記サイクロン集塵装置の吸込口が、前記２つのパッドに応じて２つ設けられていることを特徴とする請求項２に記載の電気掃除機。
【請求項４】
前記パッドが交換可能であることを特徴とする請求項１ないし３のうちのいずれか１項に記載の電気掃除機。
【請求項５】
前記サイクロン集塵装置の上部に延びるハンドルシャフトと、前記ハンドルシャフト上端に設けられて操作者が把持するハンドルを備え、前記ハンドルが前記ハンドルシャフトを軸にして回転可能であることを特徴とする請求項１ないし４のうちのいずれか１項に記載の電気掃除機。
【発明の詳細な説明】
【技術分野】
【０００１】
本発明は電気掃除機に関し、特にサイクロン方式の電気掃除機に関する。
【背景技術】
【０００２】
最近では、電動送風機の運転によって発生する気流により塵埃を吸込口から吸い込み、吸い込んだ気流を旋回させて気流中に含まれる塵埃を分離するサイクロン集塵装置を備えた電気掃除機が広く用いられている。
【０００３】
従来から知られたサイクロン方式の電気掃除機の一例として、特許文献１に記載された電気掃除機を挙げることができる。
【０００４】
この特許文献１に記載された電気掃除機では、サイクロン集塵装置を有する掃除機本体に車輪を設けて床を転がして移動可能なようにし、サイクロン集塵装置に接続されて本体から延びるサクションホースの先端には接続パイプが取り付けられ、その接続パイプのさらに先に、塵埃を吸い込む吸込口からを有する吸込口体が取り付けられる。
【０００５】
吸込口体の形状は扁平で横長に構成され、操作者は、接続パイプを握って吸込口体の吸込口が床面を擦るように動かして掃除を行う。
【０００６】
【特許文献１】特開２００６−１１６３４０号公報
【発明の開示】
【発明が解決しようとする課題】
【０００７】
しかしながら、上述の特許文献１に記載のような従来の電気掃除機では、カーペットや畳みなどが敷かれた床面の掃除を主な目的にしており、フローリングの床面を掃除することには向いていないという問題があった。
【０００８】
すなわち、従来の電気掃除機では、カーペットの毛足の間や畳みの隙間に入り込んだ塵埃を吸い取ることに適した吸込口体の開発、提供を行ってきたが、この従来の吸込口体の形状ではフローリングの床面の掃除には難があった。
【０００９】
フローリングやクッションフロア等の床面の汚れは、主に、たとえば皮脂汚れなどの表面汚れおよび塵埃である。このため、塵埃を吸取るのみの従来の電気掃除機では、その後に、皮脂汚れなどの表面汚れを拭き掃除する必要があり、手間がかかるという問題があった。
【００１０】
また、クロスを用いて床面を拭き掃除する場合、しつこい皮脂汚れを磨いて落とすのは力が必要で困難な作業であるという問題があった。
【００１１】
本発明は上記の点にかんがみてなされたもので、操作者が多大な力を使うことなく、塵埃の吸い取りおよび床面の磨き掃除を行うことができる電気掃除機を提供することを目的とする。
【課題を解決するための手段】
【００１２】
本発明は上記課題を解決するため、サイクロン集塵装置と、電気駆動で回転する床磨き用のパッドとを備え、前記パッドによって床面を磨き掃除すると同時に前記サイクロン集塵装置によって該床面の塵埃を集塵することを特徴とする。
【００１３】
また本発明は、前記パッドを２つ横に並べて備え、該２つのパッドが互いの間に前記塵埃を巻き込むように回転駆動されることを特徴とする。
【００１４】
また本発明は、前記サイクロン集塵装置の吸込口が、前記２つのパッドに応じて２つ設けられていることを特徴とする。
【００１５】
また本発明は、前記パッドが交換可能であることを特徴とする。
【００１６】
また本発明は、前記サイクロン集塵装置の上部に延びるハンドルシャフトと、前記ハンドルシャフト上端に設けられて操作者が把持するハンドルを備え、前記ハンドルが前記ハンドルシャフトを軸にして回転可能であることを特徴とする。
【発明の効果】
【００１７】
本発明によれば、操作者が多大な力を使うことなく、塵埃の吸い取りおよび床面の磨き掃除を行うことができる電気掃除機を提供することができる。
【００１８】
すなわち本発明によれば、パッドが回転して床磨きを行うため、操作者が多大な力を使わずとも床磨き掃除を行うことができるし、同時に、サイクロン集塵装置による塵埃の吸い込みを行うので、効率のよい掃除を行うことができるという効果がある。
【発明を実施するための最良の形態】
【００１９】
以下、本発明の実施の形態について図面を参照して詳細に説明する。
【００２０】
図１は、本発明の一実施の形態による電気掃除機の使用状態の外観を示す斜視図である。
【００２１】
図１に示すように、本実施の形態の電気掃除機１は、床面の塵埃を吸い取る吸込口体２と、サイクロン集塵装置３と、操作者が把持するハンドル４と、ハンドル４とサイクロン集塵装置３とを接続するハンドルシャフト５とを有して構成される。
【００２２】
なお、本実施の形態の電気掃除機１では、サイクロン集塵装置３や吸込口体２に電源供給するようにしているが、この電源供給は、バッテリを内蔵してもよいし、電源コードを用いて商用電力のコンセントから得るようにしてもよい。
【００２３】
図２は、図１に示した電気掃除機１のサイクロン集塵装置３の構造を示す部分断面側面図である。
【００２４】
サイクロン集塵装置３は、上部に電動送風機３０を備えており、この電動送風機３０は、スイッチ３６が押下されることによって給電され、吸気筒３１から吸気を行い、排気口３２にて排気を行うことによって、図中に矢印で示すような空気の流れを作り出す。吸気筒３１および排気口３２にはフィルタを設け、塵埃を通過させないようにしてある。このフィルタは、容易に交換可能なように取り付けられている。
【００２５】
電動送風機３０によって作り出された空気の流れは、下端のパイプ３３を経て、空気とともに塵埃を吸い込み、空気は吸気筒３１を通過するが、空気とともに吸い込まれた塵埃３４は集塵容器３５に集積される。
【００２６】
集塵容器３５は電動送風機３０から容易に取り外し可能に構成されており、集塵容器３５に塵埃３４がたまってきたときには、その塵埃３４を容易に廃棄することができる。
【００２７】
サイクロン集塵装置３のパイプ３３の下端には吸込口体２が取り付けられる。この吸込口体２の構造を図３を参照しながら詳しく説明する。
【００２８】
図３は、図１に示した電気掃除機１の吸込口体２の構造を示す斜視図であり、（ａ）は吸気管を直立させた状態を示す斜視図であり、（ｂ）は吸気管を可動範囲にした状態を示す斜視図であり、（ｃ）は吸気管を水平にした状態を示す斜視図である。
【００２９】
吸気管２２は、図２に示したパイプ３３に取り付けられる根元部２２ｃと、二股に分かれた先端部２２ａおよび２２ｂを有して構成される。
【００３０】
図３（ａ）、（ｂ）、（ｃ）に示すように、本実施の形態の電気掃除機１で用いる吸込口体２は、頭部２１に吸気管２２が取り付けられて構成されている。
【００３１】
頭部２１には突起２１ａが設けられ、図３（ａ）に示すように吸気管２２を直立させた状態で、吸気管２２が動くのを突起２１ａが抑え、頭部２１と吸気管２２とが固定される。電気掃除機１を部屋の隅などに立てかけ収納する際には、この直立状態で収納すれば、かさばらないで済む。
【００３２】
図３（ｂ）に示すように吸気管２２に力を加えて倒して、吸気管２２が突起２１ａを乗り越えたならば、図３（ｂ）に示す状態から図３（ｃ）に示す状態まで、吸気管２２が自由に動くようになる。電気掃除機１で掃除をする場合には、この頭部２１と吸気管２２との関係が自由に動く状態で行う。
【００３３】
次に、吸込口体２の裏側の構造を図４を参照しながら説明する。
【００３４】
図４は、図１に示した電気掃除機１の吸込口体２の裏側を示す斜視図であり、（ａ）はパッドおよびパッド台を取り外した状態を示す斜視図であり、（ｂ）は（ａ）にパッド台を取り付けた状態を示す斜視図であり、（ｃ）は（ｂ）にパッドを取り付けた状態を示す斜視図である。
【００３５】
図４（ａ）に示すように、吸込口体２の裏側を、パッド２９ｃ、２９ｄおよびパッド台２９ａ、２９ｂを取り外した状態で見ると、吸気管２２の先端部２２ａおよび２２ｂの開口２４ａおよび２４ｂは、円形の空間２３ａおよび２３ｂに開放されており、掃除時にはここから塵埃を吸い込む。空間２３ａと空間２３ｂとは空間２８で結合している。
【００３６】
また、吸込口体２の裏側には車輪２７ａおよび２７ｂが設けられており、掃除時に吸込口体２を床面に接した状態で移動しやすく構成されている。
【００３７】
開口２４ａおよび２４ｂの後方には、ラバー２６が設けられており、塵埃等を残さず吸い取るように構成されている。
【００３８】
空間２３ａの中心には留め具２５ａが設けられ、空間２３ｂの中心には留め具２５ｂが設けられている。この留め具２５ａおよび留め具２５ｂは、図４（ｂ）に示すように、パッド台２９ａおよびパッド台２９ｂを取り付け、固定するのに用いられる。
【００３９】
また、留め具２５ａ、２５ｂは、頭部２１内のモータによって駆動され、図４（ａ）の矢印方向に回転し、同方向にパッド台２９ａ、２９ｂを回転させる。頭部２１内のモータは、図２に示したスイッチ３６が押下されることによって給電され、電動送風機３０の動作と連動して留め具２５ａ、２５ｂを回転させる。
【００４０】
パッド台２９ａ、パッド台２９ｂの表面と、パッド２９ｃ、パッド２９ｄの裏面とには、たとえばマジックテープ（登録商標）が形成され、これによって、図４（ｃ）に示すように、パッド台２９ａ、パッド台２９ｂにパッド２９ｃ、パッド２９ｄが固着させられる。この結果、電動送風機３０の動作と連動して、パッド２９ｃ、パッド２９ｄが、図４（ｃ）の矢印方向に回転する。
【００４１】
パッド２９ｃ、パッド２９ｄの表面は、掃除時に床面と接し、パッド２９ｃ、パッド２９ｄが回転することによって、床面を磨き上げる。パッド２９ｃ、パッド２９ｄの表面の素材は、床面の材質に応じて、また、掃除の仕上げ具合に応じて変えればよい。たとえば、床面が傷つきにくい材質であってこびりつき汚れがある場合には表面がハードなパッドを使用すればよいし、磨き仕上げには表面がソフトなパッドを使用すればよい。パッド表面の素材としてはマイクロ繊維などを利用することもできる。
【００４２】
パッド２９ｃ、パッド２９ｄは、マジックテープ（登録商標）を剥がして容易に交換可能であり、使用済みのパッド２９ｃ、パッド２９ｄは使い捨てにしてもよいし、洗濯して再利用してもよい。
【００４３】
また、掃除の際には、クリーナー用材を床面に撒布し、その上から電気掃除機１による磨き掃除を行うこともできる。すなわち、本実施の形態の電気掃除機１では、濡れた床面の掃除を行うこともでき、磨き掃除を効率的に行うことができる。
【００４４】
なお、本実施の形態の電気掃除機１では、パッド２９ｃ、パッド２９ｄが回転して床面を磨き掃除すると同時に、サイクロン集塵装置３によって塵埃を吸い込んで掃除することができる。この塵埃の吸い込みは、図４（ｃ）に示した空間２８や、空間２３ａとパッド２９ｃとの隙間、および空間２３ｂとパッド２９ｄとの隙間から行われる。
【００４５】
図５は、図１に示した電気掃除機１のハンドル４の構造を示す斜視図であり、（ａ）はハンドル４を閉じた状態を示す図であり、（ｂ）はハンドル４を直角に開いた状態を示す図であり、（ｃ）はハンドル４を水平に開いた状態を示す図である。
【００４６】
図５（ａ）、（ｂ）、（ｃ）に示すように、本実施の形態の電気掃除機１で用いるハンドル４は、ハンドルシャフト５の上端に取り付けられ、把持部４０および４１が開閉可能なように構成されている。すなわち、ハンドル４はハンドルシャフト５を軸にして回転可能に設けられている。
【００４７】
このように構成することによって、立てかけ収納時には図５（ａ）の状態でコンパクトに収納でき、また、床磨き掃除の際には、操作者が電気掃除機１を手押ししながら掃除するのに使いやすいように、図５（ｃ）の状態にすることができる（図１参照）。
【図面の簡単な説明】
【００４８】
【図１】本発明の一実施の形態による電気掃除機の使用状態の外観を示す斜視図である。
【図２】図１に示した電気掃除機１のサイクロン集塵装置３の構造を示す部分断面側面図である。
【図３】図１に示した電気掃除機１の吸込口体２の構造を示す斜視図であり、（ａ）は吸気管を直立させた状態を示す斜視図であり、（ｂ）は吸気管を可動範囲にした状態を示す斜視図であり、（ｃ）は吸気管を水平にした状態を示す斜視図である。
【図４】図１に示した電気掃除機１の吸込口体２の裏側を示す斜視図であり、（ａ）はパッドおよびパッド台を取り外した状態を示す斜視図であり、（ｂ）は（ａ）にパッド台を取り付けた状態を示す斜視図であり、（ｃ）は（ｂ）にパッドを取り付けた状態を示す斜視図である。
【図５】図１に示した電気掃除機１のハンドル４の構造を示す斜視図であり、（ａ）はハンドル４を閉じた状態を示す図であり、（ｂ）はハンドル４を直角に開いた状態を示す図であり、（ｃ）はハンドル４を水平に開いた状態を示す図である。
【符号の説明】
【００４９】
１  電気掃除機
２  吸込口体
３  サイクロン集塵装置
４  ハンドル
５  ハンドルシャフト
【図１】
2008029474.tif 000003
【図２】
2008029474.tif 000004
【図３】
2008029474.tif 000005
【図４】
2008029474.tif 000006
【図５】
2008029474.tif 000007